(57)【要約】【課題】接続信号変換装置を備えたケーブル巻取りリール器を提供する。【解決手段】リールボックス１とハブ、電源変圧器、カードリーダー、携帯電話充電器等の素子を装置上に複数組み合わせて搭載した接続信号変換装置２とからなり、接続信号変換装置は、ＵＳＢ，IEEE1394、或いはＡＣ−ＤＣ変換素子などの種々の規格のインターフェースに応じた素子を組み合わせてなり、これらを統合した信号線の延長ケーブルを巻き取り、延長可能なリールボックスに収納してなる。  パーソナルコンピュータ、携帯端末など各種の主機に対する多数の周辺機器の接続を可能とする。【選択図】図１
0003105966.tif 000002
【実用新案登録請求の範囲】
【請求項１】
信号ケーブルの収納用リールボックス及び接続信号転換装置からなり、
前記リールボックスは、パーソナルコンピュータなどの主機に対するケーブル巻取り用リールボックスであり、
前記接続信号変換装置は、パーソナルコンピュータなどの主機に対する、
ハブ、カードリーダー、ネットワイヤレスラジエーター、及び電源変圧器等の周辺機器に接続するための複数の接続信号変換素子を組合わせてなる接続装置である、
ことを特徴とする接続信号転換装置を備えたケーブル巻取りリール器。
【請求項２】
組合わせてなる複数の接続信号変換素子が、USB、１３９４、PS２等のシステムのハブ、カードリーダー、ネットワイヤレスラジエーター、及び、電源変圧器以外に、電源、電子製品を含むことを特徴とする接続信号転換装置を備えたケーブル巻取りリール器。
【請求項３】
リールボックスと組み合わせてなる接続信号変換素子が、前記リールボックスと各種の組み合わせた素子上に、コネクタを設けて電源及び信号線を接続するようにしてなることを特徴とする請求項１に記載の接続信号転換装置を備えたケーブル巻取りリール器。
【請求項４】
前記リールボックスは、
開口状で、内部は収容空間になっており、その収容空間中央に先端に溝孔を有する直立柱を設け、内周面に、弧状ブロックを設け、外周に、信号ケーブルを引き出す引出し孔を設け、上縁にフックを有するハウジングと、
中央に前記直立柱の嵌合する中央孔を備え、外縁には、凸ブロックを呈した弾性素子を設け、さらに前記弾性素子上に上向きの突起部を設けて前記ハウジングの収容空間内に収容される係止盤、及び、前記突起部に対応する円周上に、前記突起部をガイドする二つの対称な弧状の溝孔を有する制御盤と、
中央に、下方向に延長突出した開口筒体を有し、接続端子及びネジ座を設け、前記開口筒体の外周に信号ケーブルを巻回して収納するようにすると共に、前記信号ケーブルの一端は上記引出し孔から引き出されて、その末端にはUSB接続ヘッド、IEEE1394接続ヘッド、或いは、PS２、RJ４５接続ヘッドを接続し、前記信号ケーブルの他端は前記接続端子と連結され、前記開口筒体の中空部分に、巻取り用弾性片を挿入して該弾性片の一端は前記直立柱の溝孔に固定され、他端は切り欠き部に固定され、小蓋により、前記開口筒体の上開口部分を蓋合する蓋と、
前記リールボックス上縁に配置されるフレームと、
からなることを特徴とする請求項１に記載の接続信号転換装置を備えたケーブル巻取りリール器。
【請求項５】
前記リールボックスの制御は、前記ハウジング底部に係合凹溝を備え、二つの係合ブロックを更に設け、前記係合ブロック上に突起部を設けると共に前記蓋下面に前記突起部が嵌合する傾斜状のガイド溝を設け、前記突起部が前記ガイド溝に沿って滑動することにより前記係合ブロックが、ケーブルの引き出し操作に伴う回転により前記係合凹溝に係合・離脱して、その回転を制止されることを特徴とする請求項４に記載の接続信号転換装置を備えたケーブル巻取りリール器。
【請求項６】
前記リールボックスの前記ハウジング外面中央に結合装置を設け、前記結合装置中心軸に、ネジ孔、或いは、係合点を設け、ゲル吸盤、或いは磁石吸盤のネジ棒と螺合し、本考案のケーブルリール器及び接続転換装置を、ガラス、或いは、金属板上に吸着して使用可能としたことを特徴とする請求項１に記載の接続信号転換装置を備えたケーブル巻取りリール器。
【請求項７】
前記接続信号変換素子は、USBハブであって、回路板、カバー及び蓋体からなり、前記回路板上に、USB接続座及び電源入力端子、LED発光体を備え、両側にネジ孔を有し、前記回路板上の回路は、背面の延長電源線により接続され、その末端は、前記リールボックスの蓋の接続端子と対称な接続素子と連結されることを特徴とする請求項１に記載の接続信号転換装置を備えたケーブル巻取りリール器。
【請求項８】
カバー上に、USB接続座及び電源入力端子に対応する、USB接続座開孔及び電源入力端子開孔を設け、上面に、定位孔を設置し、カバー上方はカバー上方の開口を蓋合できる上蓋体があり、前記上蓋体はLED発光体に対応する部分に、透光板を設け、前記カバーは、下向けの突起部を定位孔に挿入して固定することを特徴とする請求項６に記載の接続信号転換装置を備えたケーブル巻取りリール器。
【請求項９】
前記USBハブとリールボックスの組み合わせ形態は、前記回路板の延長電源線の接続端子と前記ケーブルリール器の前記蓋の接続端子を接続し、ネジにより、ネジ孔を経て、前記蓋のネジ座に螺入し、カバー及び上蓋体を配置して、USBハブとリールボックスを組み合わせることを特徴とする請求項６に記載の接続信号転換装置を備えたケーブル巻取りリール器。
【請求項１０】
前記USBハブとリールボックスの組み合わせ形態には、接続可能な各種リール器を含むことを特徴とする請求項１に記載の接続信号転換装置を備えたケーブル巻取りリール器。
【請求項１１】
前記ケーブルリール器の信号ケーブル末端のUSB接続ヘッド及びUSBハブのUSB接続座は、IEEE1394接続ヘッド及びIEEE1394接続座に変更可能であり、IEEE1394システムの接続構造、或いは、PS２、RJ４５システムを採用した接続ヘッド及び接続座、或いは、PS２、RJ４５システムを用いたリールを有するハブ装置に変更可能であることを特徴とする請求項１に記載の接続信号転換装置を備えたケーブル巻取りリール器。
【請求項１２】
前記接続信号転換装置は、カードリーダーで、フラッシュメモリを前記カードリーダーの溝孔に挿入して使用し、リールを有するハブ装置としてなることを特徴とする請求項６に記載の接続信号転換装置を備えたケーブル巻取りリール器。
【請求項１３】
前記接続信号転換装置は、ネットワイヤレスラジエーターで、リールを有するネットワイヤレスラジエーターであることを特徴とする請求項６に記載の接続信号転換装置を備えたケーブル巻取りリール器。
【請求項１４】
前記接続信号変換装置は、電源変圧装置で、リールを有する電源変圧装置であることを特徴とする請求項６に記載の接続信号転換装置を備えたケーブル巻取りリール器。
【請求項１５】
前記電源変圧装置は、前記ケーブルリール器中の信号ケーブル末端のUSB接続ヘッドを直流電の接続端子に変えると共に、USBハブを電源変圧器に変え、且つ、前記ハウジング上に接続凹部を設置し、その上に、導電端を設け、各式接続交流電の各式接続プラグを接続凹部に挿入すると共に、導電端を導通し、交流を直流電に変えて直流電製品に使用し、直流電の接続端子はその他の素子を接続し、携帯電話等が充電可能としたことを特徴とする請求項１３に記載の接続信号転換装置を備えたケーブル巻取りリール器。
【考案の詳細な説明】
【技術分野】
【０００１】
本考案は、ケーブルリール器と、ハブ、カードリーダー、ネットワイヤレスラジエーター、或いはＡＣ−ＤＣ変換電源装置等の各種素子を任意の組合わせで信号転換する接続装置に関するものであって、ケーブルリール器は、電源及び信号を伝送するケーブル線を有し、ケーブル線の引き出し、及び、収容が可能で、ケーブル線はUSB、IEEE1394、PS２、或いは、RJ４５等の接続ヘッドで、他端は接続端子に接続され、接続端子は搭載されたハブ、カードリーダー、ネットワイヤレスラジエーター、或いは、電源変圧器等の素子の延長素子と接続され、本考案のリール器はこれら各種素子の組み合わせによってインターフェース信号転換が可能である。
【背景技術】
【０００２】
近年来、コンピュータ技術の不断の発展と関連して周辺設備の開発、更に、ローカルネットワークの興起により、コンピュータの利用は全世界に普及し、各種のコンピュータ周辺設備とノート型パソコン、サーバ等のホスト間に、複雑な接続の問題が生じている。
【０００３】
コンピュータ周辺設備において、プリンター、スキャナー、ビデオモニター、外接ディスクドライバ、キーボード、マウス、モデム、カードリーダー、デジタルカメラ、外接ボックス、ネットワイヤレスラジエーター、及び、ハブ等の装置は、体積の大きさにかかわらず、皆、コネクタ、或いは、接続補助設備により、ホスト後方と接続してその機能を達成する。故に、コンピュータ業者は如何にして、これらの設備を最も合理的に、ホストコンピュータ、或いは、相関する作業システムと接続し、且つ、接続時に、信号の伝送と同時に必要な電源を供給するかに力を尽くしている。
【０００４】
よって、コンピュータエンジニア界は、USB（Universal  Serial  Bus）、IEEE（Institute  of  Electric  Electronic  Engineer）１３９４、PS２接続システムの接続ヘッド、接続座、或いは、ハブを研究開発し、このシステムは、適時に、コンピュータ相関製品の接続上の問題を解決し、コンピュータホストと周辺設備間の橋渡しとなり、USB、IEEE１３９４、及び、PS２などの接続システムの最大の機能は、数台のコンピュータ、或いは、多数の周辺設備を、ハブ、或いは接続ポートに収束した上で、ホストコンピュータと接続し、コンピュータと周辺設備間の接続、及び、給電の問題を一括して解決することにある。
【０００５】
USB、IEEE１３９４、PS２、及び、RJ４５接続座及びプラグは、現在、ホストコンピュータ、ノート型パソコン、或いは、ハブ上に普遍的に設置され、その接続と転換は普及し、便利になっている。
【０００６】
多くのコンピュータ周辺設備中、例えば、外接ディスクドライバ、モデム、カードリーダー、デジタルカメラ、外接ボックス、ネットワイヤレスラジエーター、及び、ハブ等の装置、更には、携帯電話の充電装置も、直流電源を使用するので、上述の相関製品が直流電源を使用する機会も多い。
【０００７】
また、コンピュータ等の設備を接続する媒介電源線、或いは、信号線が増加し、他にも、技術人員も各種ケーブルを使用し、例えば、コンピュータ使用者、或いは、メンテナンス者が使用するコネクタ、通信人員が使用する通信コネクタ等で、使用者の携帯の便を図るため、或いは、使用時に配線が錯綜した状態をなるのを回避するため、各種のコンピュータ設備信号ケーブルの収納用リールボックスが誕生した。
【０００８】
一般のケーブル収納リールボックスは、単に、線体を収容するリールボックスか、又はハブで、交流電源を、直流電源の電源に降圧する変圧器、カードリーダー、携帯電話充電器、或いは、ネットワイヤレスラジエーター等の製品は、皆、単一機能の製品であるため、これらの各製品に対応する多機能性に欠け、それぞれの製品に応じた種々の応用、組み合わせが必要とされる。
【０００９】
【特許文献１】特開平06-338371
【考案の開示】
【考案が解決しようとする課題】
【００１０】
パーソナルコンピュータなどの本体や周辺機器に対する電源、接続ケーブル、各種信号線などにおける、USB、IEEE1394などの各種インターフェース規格の接続端子装置に対してこれらを統合して搭載して共通に使用可能とすると共に、これらのケーブルを共通に巻取り収納するケーブル収納用リール器の提供。
【課題を解決するための手段】
【００１１】
本考案は、ケーブルリール器と、ハブ、カードリーダー、ネットワイヤレスラジエーター、或いはＡＣ−ＤＣ変換電源装置等の各種素子を任意の組合わせで搭載した基板からなり、これらUSB、IEEE1394などの各種インターフェース規格の接続端子装置によりパーソナルコンピュータの周辺機器との信号変換を可能として、夫々の規格に応じた素子と端子を設け、また必要な長さに延長したこれらの共通のケーブルを巻取り可能としてコンピュータの各種の周辺機器との接続を可能とする。
【考案の効果】
【００１２】
一般のケーブル収納リールボックス及び上述の相関製品の簡単な機能において、本考案は、リール器とハブ、電源変圧器、カードリーダー、携帯電話充電器等を一つの装置上に結合して、その機能性を増進させ、転換組み合わせ接続方式により、電源、信号を伝送するケーブル収納リールボックスが、上述のハブ、電源変圧器、カードリーダー、携帯電話充電器に任意に接続でき、同時に多機能を有し、変換組み合わせが可能な「ケーブルリール器及び接続転換装置」が得られる。
【考案を実施するための最良の形態】
【００１３】
装置中の接続信号変換装置（２）に適用するに際しては、USB、IEEE1394、PS２等のシステムのハブ（３）、カードリーダー（４）、ネットワイヤレスラジエーター（５）、電源変圧器（６）、或いは、図示されないその他の電源、電子製品等の接続信号変換装置が含まれる。
図１は、本考案の「ケーブルリール器及び接続信号変換装置」を示す図で、装置は、ケーブルリール器を任意にハブ、カードリーダー、ネットワイヤレスラジエーター、或いは、電源変圧器等の接続信号変換素子を任意に組み合わせて信号変換する接続装置で、装置は、ケーブルリール器（１）と接続信号変換装置（２）からなる。
図２を参照すると、ケーブルリール器（１）は、ハウジング（１１）、係止盤（１２）、制御盤（１３）、蓋（１４）、信号ケーブル（１５）、フレーム（１６）、弾性片（１７）、及び、小蓋（１８）、からなり、ハウジング（１１）は開口状で、内側は収容空間になっており、その収容空間中央には、直立柱（１１１）を設けてその先端に溝孔（１１２）を形成し、また、ハウジング（１１）内縁円周外周に、弧状ブロック（１１３）を設け、更に、ハウジング（１１）外周に信号ケーブル（１５）引出し孔（１１４）を設け、上縁にフック（１１５）を設ける。
係止盤（１２）、制御盤（１３）の中央に、直立柱（１１１）に嵌合する同軸の中央孔（１２１）（１３１）を設けてハウジング（１１）の収容空間内に収容すると共に、係止盤（１２）外縁には凸ブロック（１２３）を呈する弾性素子（１２２）を設け、さらに弾性素子（１２２）上に上向きの突起部（１２４）を設ける。
制御盤（１３）には、該突起部（１２４）に対応する円周上に二つの対称な弧状の溝孔（１３２）を設けて該突起部（１２４）を該溝孔（１３２）内に収容する。
【００１４】
信号ケーブル（１５）は、引き出したり、巻き戻したりし、図３、図４、及び、図５に示されるように、ハウジング（１１）底部に、係合凹溝（１１６）を備え、二つの係合ブロック（１１７）（１１８）を、更に設け、係合ブロック（１１７）（１１８）上に、突起部（１１７１）（１１８１）を設け、蓋（１４）から下面に、該突起部（１１７１）（１１８１）位置に対応して、該突起部（１１７１）（１１８１）を滑動してガイドする傾斜状のガイド溝（１１９）があり、、ガイド溝（１１９）面は高度が異なる傾斜面を形成して、その回転する４５度毎に段差を設けてストッパーを形成する。
【００１５】
時計回りに蓋（１４）を回転させ、突起部（１１７１）（１１８１）がガイド溝（１１９）に沿って滑動する時は、回転角度４５度毎に内側に定位し、９０度で反時計回りに緩められる時には、相対する係合ブロック（１１７）（１１８）は、ガイド溝（１１９）に沿って外に滑動して外側に定位する。よって、内側に定位する時、相対する係合ブロック（１１７）（１１８）は、自由に回転でき、相対する蓋（１４）も自由に回転できる。      外側に定位する時、係合ブロック（１１７）（１１８）は交差し、共に、凹溝に呼応し、よって、蓋（１４）の回転を止め、蓋（１４）が再び、時計回りに回転する時、係合ブロック（１１７）（１１８）を帯動して、ガイド溝（１１９）に移入すると共に、内側に定位して、蓋（１４）は自由に回転できるようになり、相同の制御方式を達成する。
【００１６】
図６を参照すると、前記ハウジング（１１）外面中央に、必要に応じて、組み合わせ装置（１１１A）、中心軸に、ネジ孔（１２１）を設けた組み合わせ装置（１１１B）を設け、本考案者が申請した、台湾特許０９２２１５４４５、中国特許０３２０９０２４２、米国特許１０、６５８３２９、及び、ドイツ特許２０３１５３３１．６の「多効能吊り下げ、締固装置」のゲル吸盤、或いは、磁石吸盤のネジ棒と螺合し、本考案のケーブルリール器及び接続転換装置を、ガラス、或いは、金属板上に吸着して使用することができる。
【００１７】
蓋（１４）は、その中央が下向きに延長した開口筒体（１４１）を呈し、蓋（１４）上に接続端子（１４２）及びネジ座（１４３）を設け、開口筒体（１４１）の外周に、電源線（１５）を巻いて収納し、電源線（１５）の一端は、引き出し孔（１１４）から引き出されてその末端はUSB接続ヘッド（１５１）に接続し、USB接続ヘッド（１５１）は必要に応じて、IEEE1394接続ヘッド（１５１A）（図１０で示される）、或いは、PS２、RJ４５接続ヘッドであり、電源線（１５）のもう一端は蓋（１４）を貫通して、接続端子（１４２）と連結される。
【００１８】
蓋（１４）は、電源線（１５）を装着した後、ハウジング（１１）内に収容すると共に、ハウジング内周のフック（１１５）により係合定位し、その上面にフレーム（１６）を嵌設して、蓋（１４）の開口筒体（１４１）の中空部分（１４４）に、ケーブル巻取り用の弾性片（１７）を収納する。弾性片（１７）の一端は、直立柱（１１１）の溝孔（１１２）に固定され、もう一端は蓋（１４）の切り欠き部（１４５）に固定され、小蓋（１８）により、開口筒体（１４１）の上開口部分を蓋合する。
【００１９】
これにより、係止盤（１２）が回転する時、弾性片（１２２）外縁の凸ブロック（１２３）は、ハウジング（１１）の弧状ブロック（１１３）に押圧されて、弾性片（１２２）及び突起部（１２４）は内外に向かって移動し、本考案の製品使用者が、必要な長さの信号ケーブル（１５）を引き出して停止した時、逆転しない。使用者が信号ケーブル（１５）を軽く引き出すと、弾性片（１２２）の突起部（１２４）は、溝孔（１３２）の中心に近い位置に導かれて弾性片（１２２）の凸ブロック（１２３）は中心方向に縮径してハウジング（１１）内縁円周外周に設置された弧状ブロック（１１３）の係合を脱離し、弾性片（１７）の張力により駆動されて信号ケーブル（１５）をボックス内に巻取り収容する。
【００２０】
本考案のケーブルリール器（１）において、組み立ての完成部分が図１及び図８で示され、その特徴は、ケーブルリール器（１）は、接続信号変換装置（２）と組み合わせ、本装置は多元化変化の組み合わせを達成し、接続信号変換装置（２）の実施時、USB／IEEE1394／PS２等のシステムのハブ（３）、カードリーダー（４）、ネットワイヤレスラジエーター（５）、電源変圧器（６）、或いは、図示されないその他の素子が含まれる。
図７を参照すると、接続信号変換装置（２）は、USBハブ（３）を実施例とし、USBハブ（３）は、回路板（３１）、カバー（３２）及び蓋体（３３）からなり、回路板（３１）上に、USB接続座（３１１）及び電源入力端子（３１２）、LED発光体（３１３）を備え、両側にネジ孔（３１４）を有し、回路板（３）上の回路は、背面の延長電源線（３１５）により接続され、その末端は、ケーブルリール器（１）の蓋（１４）の接続端子（１４２）と対称な接続端子（３１６）と連結される。
【００２１】
カバー（３２）上に、USB接続座（３１１）及び電源入力端子（３１２）に対応する、USB接続座開孔（３２１）及び電源入力端子開孔（３２２）を設け、上面に、定位孔（３２３）を設置し、カバー（３２）上方はカバー上方の開口を蓋合できる上蓋体（３３）があり、上蓋体（３３）はLED発光体（３１３）に対応する部分に、透光板（３３１）を設け、カバー（３２）は、下向けの突起部（３３２）を定位孔（３２３）に嵌合固定する。
【００２２】
USBハブ（３）とケーブルリール器（１）の組み合わせは、回路板（３）の延長電源線（３１５）の接続端子（３１６）とケーブルリール器（１）の蓋（１４）の接続端子（１４２）を接続し、ネジ（３１７）により、ネジ孔（３１４）を経て、蓋（１４）のネジ座（１４３）に螺入し、カバー（３２）及び上蓋体（３３）を配置して、図１、図８及び図９で示されるようなUSBハブ（３）とケーブルリール器（１）の組み合わせ体を完成する。
【００２３】
ケーブルリール器（１）と接続信号変換装置の組み合わせ実施において、ケーブルリール器（１）は、本考案の構造のケーブルリール器（１）に限定するものではなく、連結組み合わせが可能な各式リール器を含む。
【００２４】
図１０で示されるように、ケーブルリール器（１）の信号ケーブル（１５）末端のUSB接続ヘッド（１５１）及びUSBハブ（３）のUSB接続座（３１１）は、IEEE1394接続ヘッド（１５１A）及びIEEE1394接続座（３１１A）に変更可能であり、IEEE1394システムの接続構造、或いは、PS２、RJ４５システムを採用した接続ヘッド及び接続座、或いは、PS２、RJ４５システムを用いたリールを有するハブ装置とすることができる。
【００２５】
図１１で示されるように、ケーブルリール器（１）とUSBハブ（３）の組み合わせ実施例は、接続信号変換装置をカードリーダー（４）とし、フラッシュメモリをカードリーダー（４）のスロット（４１）に挿入するようにして、リールを有するハブ装置とすることができる。
【００２６】
図１２で示されるように、ケーブルリール器（１）とUSBハブ（３）の組み合わせ実施例は、接続信号変換装置をネットワイヤレスラジエーター（５）で、リールを有するハブ装置となる。
【００２７】
図１３で示されるように、本考案の装置は、電源変圧装置で、ケーブルリール器（１）中の信号ケーブル（１５）末端のUSB接続ヘッド（１５１）をUSB接続端子（１５１B）に変えると共に、USBハブ（３）を電源変圧器（６）に変え、且つ、ハウジング（６１）上に、接続凹部（６１１）を設置し、その上に、導電端（６１２）を設け、各式接続交流電源の各式接続プラグ（６２）（６３）（６４）を接続凹部（６１１）に挿入すると共に、導電端（６１２）を導通し、交流を直流電に変えて直流電製品に使用し、USB接続端子（１５１B）はその他の素子を接続することが出来、携帯電話等が充電でき、よって、本考案のケーブルリール器（１）と電源変圧器（６）を結合し、一般の直流電製品が使用する電源変圧器装置になる。
【００２８】
上述のように、組み合わせ方式により、ケーブルリール器（１）を各式接続信号変換装置（２）、例えば、ハブ（３）、カードリーダー（４）、ネットワイヤレスラジエーター（５）、電源変圧器（６）と組み合わせ、接続信号変換装置は本考案のハブ（３）、カードリーダー（４）、ネットワイヤレスラジエーター（５）、電源変圧器（６）に限定するものではなく、この方式でケーブルリール器（１）と組み合わせるものである。
【００２９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００３０】
【図１】本考案のケーブルリール器及び接続転換装置を示した説明図である。
【図２】本考案のケーブルリールの分解図である。
【図３】本考案のケーブルリール器のもう一つの制御信号ケーブルの分解図である。
【図４】図３の上蓋板上視図及び分解図である。
【図５】図３の上蓋板に係合ブロックを加えた上視図及び分解図である。
【図６】図３のハウジング、蓋に係合ブロックを加えた分解図である。
【図７】本考案のUSBハブの分解図である。
【図８】本考案のケーブルリール器及びUSBハブの分解図である。
【図９】本考案のケーブルリール器及びUSBハブの組み立て図である。
【図１０】本考案のケーブルリール器及び１３９４ハブの組み立て図である。
【図１１】本考案のケーブルリール器及びカードリーダーの立体図である。
【図１２】本考案のケーブルリール器及びネットワイヤレスラジエーターの立体図である。
【図１３】本考案のケーブルリール器及び電源変圧器の立体図である。
【符号の説明】
【００３１】
１…ケーブルリール器
１１…ハウジング
１１１…直立柱
１１２…溝孔
１１３…弧状ブロック
１１４…引き出し孔
１１５…フック
１１６…係合凹槽
１１７、１１８…係合ブロック
１１７１、１１８１…突起部
１１９…ガイド溝
１１１A…組み合わせ装置
１１１B…組み合わせ装置
１２…係止盤
１２１…中央孔
１２２…弾性素子
１２３…凸ブロック
１２４…突起部
１３…制御盤
１３１…中央孔
１３２…弧状の溝孔
１４…蓋
１４１…開口筒体
１４２…接続端子
１４３…螺紋座
１４４…中空部分
１４５…切り欠き部
１５…信号ケーブル
１５１…USB接続ヘッド
１５１A…１３９４接続ヘッド
１５１B…USB接続ヘッド
１６…フレーム
１７…弾性片
１８…小蓋
２…接続信号変換装置
３…ハブ
３１…回路板
３１１…USB接続座
３１１A…IEEE1394接続座
３１２…電源入力端子
３１３…LED発光体
３１４…ネジ孔
３１５…延長電源線
３１６…接続端子
３１７…ネジ
３２…カバー
３２１…USB接続座開孔
３２２…電源入力端子開孔
３２３…定位孔
３３…上蓋体
３３１…透光板
３３２…突起部
４…カードリーダー
４１…溝孔
５…ネットワイヤレスラジエーター
６…電源変圧器
６１…ハウジング
６１１…接続凹部
６１２…導電端
６１３…端子
６２、６３、６４…接続プラグ
【図１】
0003105966.tif 000003
【図２】
0003105966.tif 000004
【図３】
0003105966.tif 000005
【図４】
0003105966.tif 000006
【図５】
0003105966.tif 000007
【図６】
0003105966.tif 000008
【図７】
0003105966.tif 000009
【図８】
0003105966.tif 000010
【図９】
0003105966.tif 000011
【図１０】
0003105966.tif 000012
【図１１】
0003105966.tif 000013
【図１２】
0003105966.tif 000014
【図１３】
0003105966.tif 000015